(57)【特許請求の範囲】
【請求項１】
低負荷領域であって成層燃焼運転が行われる成層燃焼運転領域と、この成層燃焼運転領域よりも高負荷側の領域であって、均一燃焼運転が行われ、かつ、前記成層燃焼運転領域で設定される排気ガス還流量目標値よりも低い排気ガス還流量目標値が設定された均一燃焼運転領域とを有するとともに、排気ガス中の空気過剰率が大きく、かつ、流入する前記排気ガスの温度が所定範囲内のときに有効にＮＯｘを吸収することのできるＮＯｘ吸収材が排気通路に設けられたエンジンの燃料噴射制御装置であって、前記均一燃焼運転領域のうち１サイクル中燃料を１回で噴射すると前記ＮＯｘ吸収材に流入する排気ガスの温度が前記所定範囲よりも高くなるような、エンジン回転数が所定値以上の高回転領域では１サイクル中燃料を複数回に分けて噴射する第１の分割噴射を行わせ、エンジン回転数が前記所定値未満の低回転領域では前記成層燃焼運転領域から均一燃焼運転領域への移行時にのみ１サイクル中燃料を複数回に分けて噴射する第２の分割噴射を行わせる燃料噴射制御手段を備えたことを特徴とするエンジンの燃料噴射制御装置。
【請求項２】
請求項１記載のエンジンの燃料噴射制御装置において、前記燃料噴射制御手段は、エンジン回転数が前記所定値未満の低回転領域で前記成層燃焼運転領域から均一燃焼運転領域に切換わった時点から所定時間が経過するまで前記第２の分割噴射を行わせるものであることを特徴とするエンジンの燃料噴射制御装置。
【請求項３】
請求項１または２記載のエンジンの燃料噴射制御装置において、前記エンジンが、その燃焼室内に直接燃料が噴射される筒内噴射式エンジンであることを特徴とするエンジンの燃料噴射制御装置。
【請求項４】
請求項３記載のエンジンの燃料噴射制御装置において、前記燃料噴射制御手段は、前記第２の分割噴射として吸気行程中に複数回燃料噴射を行わせるものであることを特徴とするエンジンの燃料噴射制御装置。
【請求項５】
請求項３記載のエンジンの燃料噴射制御装置において、前記燃料噴射制御手段は、前記第２の分割噴射として吸気行程と圧縮行程とに分けて燃料噴射を行わせるものであることを特徴とするエンジンの燃料噴射制御装置。
【請求項６】
請求項１〜５のいずれかに記載のエンジンの燃料噴射制御装置において、前記エンジンの排気通路におけるＮＯｘ吸収材の上流側に三元触媒が設けられていることを特徴とするエンジンの燃料噴射制御装置。
【発明の詳細な説明】
【０００１】
【発明の属する技術分野】
本発明は、排気ガス還流機能を備えたエンジンの燃料噴射制御装置に関するものである。
【０００２】
【従来の技術】
従来のエンジンの中には、要求燃料噴射量の少ない低回転運転領域において、いわゆるリーン燃焼を行いながら安定した運転を図るようにしたものが知られている。例えば特開平８−１８９４０５号公報には、燃焼室内に直接燃料を噴射する、いわゆる直噴式エンジンにおいて、低回転低負荷領域では、圧縮行程後半に点火プラグ近傍の領域に燃料を噴射し、この領域を囲む領域をリーン状態にして成層燃焼を行うようにしたものが開示されている。
【０００３】
また一方、エンジンの排気ガス中に含まれる窒素酸化物（ＮＯｘ）を低減する手段としては、例えば特開平６−２２９３２２号公報に示されるように、排気ガスの一部を吸気系に還流させるＥＧＲを行うものが広く知られるに至っている。
【０００４】
このようなＥＧＲを行う場合、そのＥＧＲ率をあまり高く設定しすぎると燃焼性が著しく低下するため、ＥＧＲ率を上げるには限界がある。しかし、前記のような成層燃焼運転を行う領域では、燃焼室内で点火プラグ周囲に燃料が偏在していてその外側は非常に燃料リーンな領域となっており、この領域にＥＧＲガスを多く充填しても燃焼性に悪影響を及ぼしにくい状態となっている。そこで近年は、特に前記成層燃焼運転領域で他の領域（均一燃焼領域）よりも排気ガス還流量を増やすといったＥＧＲ制御を行う装置が開発されるに至っている。
【０００５】
【発明が解決しようとする課題】
前記のように成層燃焼運転領域と均一燃焼運転領域とでＥＧＲ量を変えるエンジンでは、例えば加速時のように成層燃焼運転領域から均一燃焼運転領域へ移行する際、その移行に伴ってＥＧＲ弁を絞り、ＥＧＲ量を速やかに低減させる必要がある。しかし、ＥＧＲ弁の開度を減少させてから実際に筒内のＥＧＲガスが十分に減少するまでにはかなりの応答遅れがあるため、その遅れ時間中は既に均一燃焼運転が始まっているにもかかわらず多量のＥＧＲ量が筒内に存する状態となり、この期間で燃焼性が著しく低下する不都合がある。このような不都合は、前記成層燃焼運転領域から均一燃焼運転領域への移行時に限られず、比較的許容ＥＧＲ量の大きい運転領域から小さい運転領域への移行時に起こり得るものである。
【０００６】
また近年は、前記成層燃焼運転のようなリーン運転が行われる時にも排気ガス中のＮＯｘを低減させる手段として、排気ガスの空気過剰率が大きいリーン状態では当該排気ガス中のＮＯｘを吸着し、当該空気過剰率の小さいリッチ状態で前記吸着をしたＮＯｘを放出するリーンＮＯｘ触媒を排気通路に配置したものが知られているが、このリーンＮＯｘ触媒のＮＯｘ浄化機能は、排気温度が限られた温度範囲を逸脱すると著しく低下するため、当該リーンＮＯｘ触媒を用いる場合には排気ガス温度を好適な範囲に維持する必要がある。
【０００７】
本発明は、このような事情に鑑み、ＥＧＲ量目標値の高い運転領域から低い運転領域へ移行する際の燃焼性低下を有効に抑止できるエンジンの燃料噴射制御装置を提供することを目的とし、さらに、排気通路にリーン状態でＮＯｘを吸収するＮＯｘ吸収材を設ける場合に、そのＮＯｘ吸収性能を高く維持できる範囲内に排気温度を維持しながら前記燃焼性低下の抑止を達成できるエンジンの燃料噴射制御装置を提供することを目的とする。
【００１３】
【課題を解決するための手段】
前記課題を解決するための手段として、本発明は、低負荷領域であって成層燃焼運転が行われる成層燃焼運転領域と、この成層燃焼運転領域よりも高負荷側の領域であって、均一燃焼運転が行われ、かつ、前記成層燃焼運転領域で設定される排気ガス還流量目標値よりも低い排気ガス還流量目標値が設定された均一燃焼運転領域とを有するとともに、排気通路に排気ガス中の空気過剰率が大きく、かつ、流入する前記排気ガスの温度が所定範囲内のときに有効にＮＯｘを吸収することのできるＮＯｘ吸収材が設けられたエンジンの燃料噴射制御装置であって、前記均一燃焼運転領域のうち１サイクル中燃料を１回で噴射すると前記ＮＯｘ吸収材に流入する排気ガスの温度が前記所定範囲よりも高くなるような、エンジン回転数が所定値以上の高回転領域では１サイクル中燃料を複数回に分けて噴射する第１の分割噴射を行わせ、エンジン回転数が前記所定値未満の低回転領域では前記成層燃焼運転領域から均一燃焼運転領域への移行時にのみ１サイクル中燃料を複数回に分けて噴射する第２の分割噴射を行わせる燃料噴射制御手段を備えたものである。
【００１４】
この構成によれば、同じ均一燃焼運転が行われる領域であっても、そのうち、１サイクル中燃料を１回で噴射する一括噴射を行うと排気温度がＮＯｘ吸収剤が有効に作用する温度範囲よりも高くなってしまうような高回転領域では、１サイクル中燃料を複数回に分けて噴射する第１の分割噴射が行われるので、一括噴射時に比べて燃焼室内の混合気をより均一にして燃焼速度及び燃焼効率を高めることができ、その分排気温度を下げることができる。すなわち、前記第１の分割噴射を行うことで、排気温度がＮＯｘ吸収剤に好都合な温度範囲よりも高くなるのを抑止することができ、ＮＯｘの排出を抑制することができる。
【００１５】
逆に、排気温度の比較的低い低回転領域では、原則的に分割噴射が行われず、一括噴射が行われるため、分割噴射の実行によって排気温度がＮＯｘ吸収材に好都合な温度範囲よりも低くなることが防がれる。しかも、ＥＧＲ量目標値の高い成層燃焼運転領域からＥＧＲ量目標値の低い均一燃焼運転領域への移行時には、第２の分割噴射が行われることにより、前記と同様に、ＥＧＲ量減少の応答遅れに起因する燃焼性の悪化が有効に抑止される。この第２の分割噴射は、成層燃焼運転領域から均一燃焼運転領域への移行時にのみ行われる一時的なものであるので、当該分割噴射に起因して排気温度が下がりすぎる（すなわちＮＯｘ吸収材に好都合な温度範囲よりも低くなる）ことは避けられる。
【００１６】
ここで、「前記成層燃焼運転領域から均一燃焼運転領域への移行時にのみ第２の分割噴射を行わせる」手段としては、例えば、前記成層燃焼運転領域から均一燃焼運転領域に切換わった時点から所定時間が経過するまで前記第２の分割噴射を行わせるようにすればよい。
【００１７】
この発明にかかる装置も、吸気弁手前の吸気ポートに燃料が噴射されるポート噴射式エンジンに適用が可能であるが、燃焼室内に直接燃料が噴射される筒内噴射式エンジンに適用すれば、より有効である。
【００１８】
この場合も、前記第２の分割噴射としては、吸気行程中に複数回燃料噴射を行わせるようにしてもよいし、吸気行程と圧縮行程とに分けて燃料噴射を行わせるようにしてもよい。
【００１９】
また、前記ＮＯｘ吸収材と三元触媒とを併用する場合、三元触媒に都合のよい排気温度はＮＯｘ吸収材に都合のよい排気温度よりも高いため、当該ＮＯｘ吸収材の上流側に三元触媒を設けることが好ましい。
【００２０】
【発明の実施の形態】
本発明の好ましい実施の形態を図面に基づいて説明する。
【００２１】
図１に示すエンジンの本体１０は、複数の気筒１２を有し、各気筒１２内にピストン１４が装填されており、各ピストン１４の上方に燃焼室１６が形成されている。この実施の形態では、前記燃焼室１６に対して２つの吸気ポートと排気ポートとが開口し、各吸気ポート及び排気ポートがそれぞれ吸気弁１７及び排気弁１８によって開閉されるようになっている。
【００２２】
各燃焼室１６の頂部には点火プラグ２０が配設され、そのプラグ先端が燃焼室１６内に臨んでいる。また、各燃焼室１６内には側方からインジェクタ２２の先端部（すなわち燃料噴射部）が臨み、このインジェクタ２２から燃焼室１６内に直接燃料が噴射されるように構成されている。すなわち、このエンジンは筒内噴射式エンジンとなっている。各インジェクタ２２は、図略のニードル弁及びソレノイドを内蔵し、このソレノイドに後述のパルス信号が入力されることにより、そのパルス入力時期に相当する時期にパルス幅に応じた量だけ燃料を噴射するように構成されている。
【００２３】
前記吸気ポートには吸気通路２４が接続されている。この吸気通路２４には、その上流側から順に、エアクリーナー２５、エアフローセンサ２６、スロットルセンサ及びスロットル弁をもつエレキスロットル２８、サージタンク３０が設けられている。このサージタンク３０の下流側通路は、各吸気ポートに対応して分岐する独立吸気通路となっている。
【００２４】
図例では、各独立吸気通路の下流側部分が２つの通路２４ａ，２４ｂに分岐し、各通路２４ａ，２４ｂが燃焼室１６内に接続されるとともに、通路２４ｂにのみスワール生成用の開閉弁３１が設けられている。この開閉弁３１は、図略のアクチュエータにより駆動されて開閉作動するもので、この開閉弁３１が第２の通路２４ｂを閉じるときには第１の通路２４ａのみを通る吸気によって燃焼室１５内にスワールが生成され、開閉弁３１が開かれるにつれてスワールが弱められるようになっている。
【００２５】
一方、前記排気ポートには排気通路３４が接続されている。この排気通路３４の途中には、その上流側から順に、三元触媒３５と、リーンＮＯｘ触媒（ＮＯｘ吸収材）３６とが設けられている。これらの触媒は、軸方向に沿って相互平行に延びる多数の貫通孔をもつハニカム構造のコージェライト製担体の各貫通孔壁面に触媒層を形成したものである。
【００２６】
前記三元触媒３５は、排気ガスが理論空燃費近傍にある状態でＮＯｘ、ＣＯ、及びＨＣを浄化する。これに対してリーンＮＯｘ触媒３６は、排気ガスの空気過剰率が大きいリーン状態でＮＯｘを吸着し、この吸着したＮＯｘを排気ガスの空気過剰率が小さいリッチ状態で放出する。このリーンＮＯｘ触媒３６は、三元触媒３５に好適な排気温度よりも低い特定温度域に排気温度が存するときに有効な浄化性能を発揮するものであり、例えば特開平１０-１５１３５３号公報に示されるように、前記担体上に、Ｐｔなどの貴金属とバリウムなどのアルカリ土類金属担持のアルミナが担持された内側触媒層と、白金及びロジウム担持のゼオライトが担持された外側触媒層とをコーティングしたもの等が好適である。
【００２７】
前記吸気通路２４と排気通路３４との間には、排気ガスを吸気通路２４側に還流させるためのＥＧＲ通路３２が設けられている。このＥＧＲ通路３２の入口端は、排気通路３４における三元触媒３５のさらに上流側の部分に接続されている。出口端は、吸気通路２４におけるエレキスロットル２８の下流側の吸気集合部分（サージタンク３０よりも上流側の部分）に接続されている。この出口端にはＥＧＲ弁３３が設けられており、このＥＧＲ弁３３の駆動によってＥＧＲ流量の調節が可能となっている。
【００２８】
前記エンジンには、前記スロットルセンサ、エアフローセンサ２６の他、エンジン回転数センサ３７、アクセル開度センサ３８等の各種センサ類が装備され、これらセンサの出力信号（検出信号）がＥＣＵ（コントロールユニット）４０に入力されるようになっている。このＥＣＵ４０は、燃料制御及びＥＧＲ制御に関連する機能として、運転状態判定手段４２、スロットル制御手段４４、燃料制御手段４６、及びＥＧＲ制御手段４８を備えている。
【００２９】
運転状態判定手段４２は、前記各センサの出力信号を取り込んで、現在のエンジンの運転状態が図２に示す運転領域のうちのいずれに属するのかを判定するものである。各運転領域はエンジン回転数Ｎｅ及びエンジン負荷Ｐｅに基づいて区画されている。
【００３０】
図中、領域Ａは、燃料噴射量の少ない低中回転低負荷運転時に成層燃焼運転、すなわち、圧縮行程後半でのみ燃料を一括噴射することにより、燃焼室１６内全体は燃料リーンの状態にしながら点火プラグ２０の近傍のみ他の領域と比較して相対的かつ局所的にリッチ状態にして点火する燃焼運転を行う領域である。
【００３１】
領域Ｂは、エンジン回転数が所定値未満の低回転領域であってかつ領域Ａよりも高負荷の領域であり、吸気行程で燃料を一括噴射することにより均一燃焼を行う領域である。
【００３２】
領域Ｃは、エンジン回転数が所定値以上の中高回転かつ高負荷の領域及び低負荷高回転領域であり、領域Ｂと同様に均一燃焼運転を行うが、一括噴射ではなく分割噴射（第１の分割噴射）による運転を行う領域である。すなわち、この領域Ｃでは、まず一部の燃料のみを早期噴射（この実施の形態では吸気行程前半で噴射）してこれを筒内で均一化してから残りの燃料を後期噴射（この実施の形態では吸気行程後半で噴射）して点火をする燃焼運転が行われる。
【００３３】
なお、図2の例では、高回転領域であっても、エンジン負荷の非常に高い領域は一括噴射運転領域Ｂが設定されている。
【００３４】
スロットル制御手段４４は、各運転領域において、その燃焼に適した吸入空気量を実現するためにエレキスロットル２８のスロットル開度をスロットルセンサの検出信号に基づいてフィードバック制御するものである。
【００３５】
燃料制御手段４６は、運転状態判定手段４２により判定された運転領域での燃焼に見合う燃料噴射量及び燃料噴射時期を決定し、図略のインジェクタドライバに指令信号を出力して、前記燃料噴射時期に前記燃料噴射量に相当する幅のパルス信号をインジェクタ２２へ出力させるものである。この実施の形態では、前記領域Ａでリーン燃焼を行い、領域Ｂ，Ｃで空気過剰率がほぼ１での燃焼を行うように、燃料噴射量が設定される。
【００３６】
ＥＧＲ制御手段４８は、実際のＥＧＲ量が各運転領域に応じて設定された目標値に合致するようにＥＧＲ弁３３の開度を制御するものである。この実施の形態では、ＥＧＲ弁３３が閉じていると仮定した場合（すなわちＥＧＲを行わないと仮定した場合）に検出されると予想される吸入空気量と、実際にエアフローセンサ２６により検出される吸入空気量との差から、現在のＥＧＲ量を求め、このＥＧＲ量を現在の運転状態に対応する目標ＥＧＲ量に近づけるようにＥＧＲ弁３３の開度をフィードバック制御するように構成されている。
【００３７】
前記ＥＧＲ量目標値については、成層燃焼運転領域である領域Ａでの目標値が、均一燃焼運転領域である他の領域での目標値よりも大きく設定されている。これは、成層燃焼運転時では点火プラグ周囲に燃料が偏在しているために、均一燃焼運転時よりもＥＧＲガス導入が燃焼性に与える影響が小さいことを考慮したものである。
【００３８】
次に、このＥＣＵ４０が行う具体的な燃料噴射制御動作を、図３のタイムチャート及び図４のフローチャートに基づいて説明する。
【００３９】
まず、エンジン回転数Ｎｅ及びアクセル開度Ａｃｃを取り込む（図４のステップＳ１）。そして、前回判定した運転領域ＤＡを直前運転領域ＤＡＯとして記憶した後、ステップＳ１で取り込んだ検出信号に基づいて現在の運転領域ＤＡを改めて判定する（ステップＳ３）。新しく判定した領域ＤＡが領域Ａである場合には（ステップＳ４でＹＥＳ）、リーン状態での一括噴射による成層燃焼運転を行い（ステップＳ５）、判定した領域ＤＡが領域Ｃである場合には（ステップＳ４，Ｓ６でＮＯ）、空気過剰率がほぼ１の状態での分割噴射（第１分割噴射）による均一燃焼運転を行う（ステップＳ７）。
【００４０】
一方、新しく判定した領域ＤＡが領域Ｂである場合には（ステップＳ４でＮＯ、ステップＳ６でＹＥＳ）、直前運転領域ＤＡＯを確認する。この直前運転領域ＤＡＯが領域Ａでない場合には（ステップＳ８でＮＯ）、原則通り、空気過剰率がほぼ１での一括噴射による均一燃焼運転を行うが（ステップＳ９）、直前運転領域ＤＡＯが領域Ａである場合（ステップＳ８でＹＥＳ）、すなわち、ＥＧＲ量目標値の高い成層燃焼運転領域である領域ＡからＥＧＲ量目標値の低い均一燃焼運転領域である領域Ｂへの移行時には、一定時間のみ分割噴射（第２の分割噴射）を行わせる制御を実行する。
【００４１】
具体的には、まず内蔵のタイマーをセットし（ステップＳ１０）、このタイマーの残り時間が０となる時点まで空気過剰率が１の状態での分割噴射による均一燃焼運転を行う（ステップＳ１１，Ｓ１２）、タイマー残り時間が０となった時点（ステップＳ１２でＹＥＳ）、すなわち、領域Ｂへの切換時点から一定時間が経過した後は、原則通り、一括噴射による均一燃焼運転を行う（ステップＳ９）。
【００４２】
この装置によれば、次のような優れた効果が得られる。
【００４３】
Ａ）領域移行時における燃焼性低下の抑止
前記第２の分割噴射が行われているときの筒内ＥＧＲ量及びスロットル開度ＴＶＯの変動と早期噴射パルス信号及び後期噴射パルス信号の変化を図３に示す。同図に示す領域切換時点から、ＥＧＲ量目標値が急減するため、ＥＧＲ弁３３の開度を絞る制御が行われるが、このようにＥＧＲ弁３３を絞ってから実際の筒内ＥＧＲ量が十分に減るまでには、相当の遅れ時間がある。従って、この遅れ時間（移行期間）では、既に均一燃焼運転が開始されているにもかかわらず筒内に多くのＥＧＲガスが存する状態となり、何等の措置も講じなければ燃焼性が著しく低下するおそれがある。
【００４４】
これに対して本実施形態にかかる装置では、前記移行期間で一時的に分割噴射（第２の分割噴射）を行って噴射燃料の筒内均一化を促進するようにしているので、前記ＥＧＲ量削減の応答遅れに起因する燃焼性の低下を有効に抑止することができる。
【００４５】
Ｂ）リーンＮＯｘ触媒３６の性能維持
高負荷領域のうち、排気温度の高くなる傾向のある高回転領域（領域Ｃ）では、分割噴射（第１の分割噴射）を実行して燃焼速度及び燃焼効率を高めることにより、排気温度が高くなりすぎる（すなわちリーンＮＯｘ触媒３６に好適な温度範囲を上回る）のを防ぐことができる。
【００４６】
逆に、高負荷領域でも排気温度の低くなる傾向のある低回転領域（領域Ｂ）では、原則として一括噴射のみを行うので、前記のように分割噴射を行うことによって排気温度が低くなりすぎる（すなわちリーンＮＯｘ触媒３６に好適な温度範囲を下回る）のを防ぐことができる。また、領域Ａから領域Ｂへの移行時に分割噴射（第２の分割噴射）を行う場合でも、当該分割噴射はＥＧＲ量削減の応答遅れに起因する燃焼性低下をカバーするためのほんの一時的なものであるため、排気温度が過剰に低下することは十分に防止できる。
【００４７】
すなわち、この装置では、燃焼性悪化の抑止と、リーンＮＯｘ触媒３６の性能維持とを両立させることが可能となっている。
【００４８】
なお、本発明は、かかる実施形態に限られるものではなく、次のような実施形態をとることも可能である。
【００４９】
・前記実施形態では、領域Ａから領域Ｂへの移行時にのみ分割噴射を行う手段として、領域切換時点からの経過時間を計測するようにしているが、本発明はこれに限らず、例えば、実際のＥＧＲ量を測定し、そのＥＧＲ測定量が領域Ｂでの目標ＥＧＲ量に達するまでの間のみ分割噴射を行うといった制御を行ってもよい。
【００５０】
・前記実施形態では、第１の分割噴射及び第２の分割噴射として吸気行程に２回燃料噴射を行うものを示したが、３回以上に分けて噴射してもよいし、吸気行程と圧縮行程とに分けて燃料を噴射するようにしてもよい。
【００５２】
・前記実施形態では、筒内噴射式エンジンに適用したものを示したが、本発明はこれに限らず、互いにＥＧＲ量目標値の異なる運転領域が隣接して設定されたエンジンに広く適用が可能なものである。例えば、吸気弁手前の吸気ポートに燃料を噴射するポート噴射式エンジンであっても、高いＥＧＲ量目標値が設定される成層燃焼運転領域から低いＥＧＲ量目標値が設定される均一燃焼運転領域へ移行するときに分割噴射を行うようにすればよい。
【００５５】
【発明の効果】
以上のように、本発明は、低負荷で成層燃焼運転が行われ、かつ、排気ガス還流量目標値の高い成層燃焼運転領域と、高負荷で均一燃焼運転が行われ、かつ、排気ガス還流目標値の低い均一燃焼運転領域とを有するとともに、排気通路に排気ガス中の空気過剰率が大きい時にＮＯｘを吸収するＮＯｘ吸収材が設けられたエンジンにおいて、前記均一燃焼運転領域のうちエンジン回転数が所定値以上の高回転領域で第１の分割噴射を行わせ、エンジン回転数が前記所定値未満の低回転領域で前記成層燃焼運転領域から均一燃焼運転領域への移行時にのみ第２の分割噴射を行わせるようにしたものでは、排気温度を前記ＮＯｘ吸収材に好適な温度に維持しながら、前記成層燃焼運転領域から均一燃焼運転領域への移行時における燃焼性の悪化を有効に抑止できる効果がある。
【図面の簡単な説明】
【図１】本発明の実施の形態にかかるエンジンの全体構成図である。
【図２】前記エンジンにおいて設定された各運転領域を示すグラフである。
【図３】図２に示す領域Ａから領域Ｂに移行する際のＥＧＲ量等の時間変化を示すタイムチャートである。
【図４】前記エンジンにおいて実行される燃料噴射制御の内容を示すフローチャートである。
【符号の説明】
１０  エンジン本体
１６  燃焼室
２２  インジェクタ
２４  吸気通路
３２  ＥＧＲ通路
３３  ＥＧＲ弁
３４  排気通路
３５  三元触媒
３６  リーンＮＯｘ触媒
４０  ＥＣＵ
４２  運転状態判定手段
４６  燃料制御手段
４８  ＥＧＲ制御手段
【図１】
0003829514.tif 000002
【図２】
0003829514.tif 000003
【図３】
0003829514.tif 000004
【図４】
0003829514.tif 000005